(57)【要約】【課題】極めて簡単な構造で装着不良の生じる恐れのない光コネクタ装着専用の工具を提供する。【解決手段】主としてＳＣ２光コネクタを対象としてこれをアダプタ又はレセプタクルに装着する装着専用の光コネクタ装着工具２１であり、光コネクタを単に受ける例えばＵ字形のゴムブーツ収容溝２２ａを持つ工具本体２２に、ハウジングの後端とゴムブーツの前端との境界の段差部に当たってハウジングを前方に押込み可能な押込み用段差部２４を形成した構成である。可動部は一切なく、微小構造部分もない極めて簡単な構造であるから、コネクタ装着時に、工具のわずかな傾きや操作の微妙な違いによって例えば半差し状態となるなどの、アダプタへの装着不良が発生する恐れは極めて少ない。【選択図】図１
2008076454.tif 000002
【特許請求の範囲】
【請求項１】
光ファイバを固定したフェルールを収容したハウジングの後部に光ファイバ屈曲防止のためのゴムブーツが取り付けられ、前記ハウジングの側面に、アダプタ又はレセプタクル内に設けた係合爪と係合する係合突起を備えた光コネクタを対象として、その光コネクタをアダプタ又はレセプタクルに装着するための光コネクタ装着工具であって、
光コネクタを単に受ける工具本体に、ハウジングの後端とゴムブーツの前端との境界の段差部に当たってハウジングを前方に押込み可能な押込み用段差部を形成したことを特徴とする光コネクタ装着工具。
【請求項２】
前記工具本体が、コネクタ長手方向と直交する方向に開口しているトレイ状をなしており、前記開口から光コネクタを工具本体にセット可能であることを特徴とする請求項１記載の光コネクタ装着工具。
【請求項３】
前記工具本体が、光コネクタが嵌合可能なＵ字形のゴムブーツ収容溝を有するトレイ状であることを特徴とする請求項２記載の光コネクタ装着工具。
【請求項４】
前記工具本体が、ゴムブーツの少なくとも前端近傍を収容するＵ字形のゴムブーツ収容溝とその前方側でハウジングの少なくとも後端部近傍を受けるハウジング受けとを有するとともに、前記ゴムブーツ収容溝とハウジング受けとの境界部分に前記押込み用段差が形成されていることを特徴とする請求項１〜３記載の光コネクタ装着工具。
【請求項５】
前記ハウジング受けが、ハウジングの下面を受ける平坦な受け板であることを特徴とする請求項４記載の光コネクタ装着工具。
【請求項６】
前記ハウジング受けが、ハウジングの少なくとも後端部を収容するコ字形のハウジング収容溝であり、ゴムブーツ収容溝とハウジング収容溝との境界に前記押込み用段差が形成されていることを特徴とする請求項４記載の光コネクタ装着工具。
【請求項７】
装着対象の光コネクタが、ＪＩＳＣ５９７３に規定される光コネクタに含まれるＳＣ２光コネクタであることを特徴とする請求項１〜６記載の光コネクタ装着工具。
【発明の詳細な説明】
【技術分野】
【０００１】
この発明は、光コネクタが高密度配列された光配線箱において光コネクタを装着する際に用いる光コネクタ装着工具に関し、特にＳＣ２光コネクタの装着に適用して好適な光コネクタ装着工具に関する。
【背景技術】
【０００２】
光コネクタが高密度配列される光配線箱に適した光コネクタとして、ＪＩＳＣ５９７３に規定される光コネクタに含まれるいわゆるＳＣ２光コネクタがある。図８にＳＣ２光コネクタ１の外観を簡略化して示す。同図に示すようにＳＣ２光コネクタ１は、光ファイバ２（裸ファイバを２ａ、被覆部（光コード）を２ｂで示す）を固定したフェルール３を収容したハウジング４の後部に光ファイバ屈曲防止のためのゴムブーツ５が取り付けられ、前記ハウジングの両側面に、アダプタ又はレセプタクル（以下ではアダプタの場合として述べる）内に設けた弾性爪片の爪と係合する係合突起４ａを備えている。また、コネクタ着脱工具の爪が係合する係合凹部４ｂを備えている。
【０００３】
ＳＣ２光コネクタは、高密度配列を可能にするために、ＳＣ光コネクタにおける手で着脱するためのツマミ（ないしスライダ、摺動部材）を持たないコンパクトな構造とされているが、そのため前記のように、光コネクタ側に係合凹部４ｂを形成して、工具を用いて着脱するようになっているが、その工具として従来は、ＳＣ２光コネクタ（以下、場合により単に光コネクタという）の装着及び抜き取りの両作業が可能なコネクタ着脱工具が用いられている。
【０００４】
図９、図１０はコネクタ着脱工具１０を簡略化して示したもので、コネクタ収容溝１１ａを持つ工具本体１１の両側に回転軸１３を中心として回転可能な操作アーム１２を備え、この操作アーム１２の先端に、光コネクタ１側の前記係合凹部４ｂと係合する係合爪１２ａを設けている。この操作アーム１２の先端部（係合爪１２ａ及びその近傍）は、工具本体１１の両側壁１１ｂにあけた開口部１１ｃにてコネクタ収容溝１１ａの幅方向に出没可能にされている。また、工具本体１１の側壁１１ｂの先端に、光コネクタ抜き取り時にアダプタ側の弾性爪片の爪と光コネクタ１側の係合突起４ａとの係合を解除するための差込み片１１ｄを設けている。１４はグリップである。（特許文献１の図１、特許文献２の図５）
【０００５】
上記のコネクタ着脱工具１０で光コネクタ１を着脱する際、工具本体１１のコネクタ収容溝１１ａに光コネクタ１を載せ、操作アーム１２を操作してその先端側を閉じ係合爪１２ａをハウジング４の係合凹部４ｂに係合させると、光コネクタ１が把持される（図１１（ロ）の状態）。また、操作アーム１２の先端側を開くと係合爪１２ａとハウジング４の係合凹部４ｂとの係合が解除される（図１１（イ）の状態）。
光コネクタ１をアダプタから抜き取る場合は、工具本体１１の先端側をアダプタに押込んで、差込み片１１ｄでアダプタ側の弾性爪片の爪と光コネクタ側の係合突起４ａとの係合を解除させるとともに、工具の係合爪１２ａを光コネクタ１の係合凹部４ｂに係合させて光コネクタ１を把持し、コネクタ着脱工具１０を引き戻すと、光コネクタ１がアダプタから抜き取られる。
また、光コネクタ１をアダプタに装着する場合は、図１１（ロ）のように光コネクタ１を把持した状態で、工具本体１１とともに光コネクタ１をアダプタ内に押し込むと、光コネクタ１がアダプタに装着される。なお、実際の構造として、押し込む際に差込み片１１ｄが光コネクタ１の係合突起４ａとアダプタ側の弾性爪の爪との係合を邪魔しないような工夫が必要なので、通常はさらに複雑な構造（例えば特許文献１の図１）あるいは複雑な形状とするが、詳細説明は省略する。
【０００６】
また、光コネクタの装着用工具と抜き取り用工具とを別個に用いたものもあるが、その場合の装着用工具（特許文献２の図２）も、光コネクタ側と結合可能なフック、及び弾性的に撓み可能なレバーを備えるとともに、別途ガイド治具を必要とするものであり、やはり構造が複雑である。
【特許文献１】特開２００２−２３０１２の図１等
【特許文献２】実開平５−２１２１３の図２、段落番号[００１１]、図５等。
【発明の開示】
【発明が解決しようとする課題】
【０００７】
上記のように、高密度環境下におけるコネクタ着脱作業は、隣接する光コネクタ、及び光コードが近傍にあり作業がしずらいので、この環境下でも作業ができるように、着脱工具は隣接コネクタに干渉せずに係合爪１２aの開閉ができることが要求され、したがって、ＳＣ２光コネクタ用のコネクタ着脱工具の先端形状は小型でかつ複雑な形状となっている。このため、コネクタ装着時においては、工具のわずかな傾きや先端の係合爪１２ａの差込具合によっては、例えば半差し状態となるなど、アダプタに正常に装着することができないときがある。
【０００８】
装着・抜き取り兼用とせずに、装着専用の工具とすれば、簡単でしかも装着不良の生じる恐れのない構造の工具を得易いとも言えるが、従来は、装着専用の工具の場合でも、特許文献２のようにやはり複雑な構造であり、装着・抜き取り兼用というメリットのある兼用工具に対して、装着用及び抜き取り用の２種の工具を必要とするデメリットを打ち消すほどのメリットはない。
【０００９】
本発明は上記事情に鑑みてなされたもので、極めて簡単でしかも装着不良の生じる恐れのない構造の光コネクタ装着専用の工具を提供することを目的とする。
【課題を解決するための手段】
【００１０】
上記課題を解決する本発明は、光ファイバを固定したフェルールを収容したハウジングの後部に光ファイバ屈曲防止のためのゴムブーツが取り付けられ、前記ハウジングの側面に、アダプタ又はレセプタクル内に設けた係合爪と係合する係合突起を備えた光コネクタを対象として、その光コネクタをアダプタ又はレセプタクルに装着するための光コネクタ装着工具であって、
光コネクタを単に受ける工具本体に、ハウジングの後端とゴムブーツの前端との境界の段差部に当たってハウジングを前方に押込み可能な押込み用段差部を形成したことを特徴とする。
【００１１】
請求項２は、請求項１の光コネクタ装着工具における工具本体が、コネクタ長手方向と直交する方向に開口しているトレイ状をなしており、前記開口から光コネクタを工具本体にセット可能であることを特徴とする。
【００１２】
請求項３は、請求項１の光コネクタ装着工具における工具本体が、光コネクタが嵌合可能なＵ字形のゴムブーツ収容溝を有するトレイ状であることを特徴とする。
【００１３】
請求項４は、請求項１の光コネクタ装着工具における工具本体が、ゴムブーツの少なくとも前端近傍を収容するＵ字形のゴムブーツ収容溝とその前方側でハウジングの少なくとも後端部近傍を受けるハウジング受けとを有するとともに、前記ゴムブーツ収容溝とハウジング受けとの境界部分に前記押込み用段差が形成されていることを特徴とする。
【００１４】
請求項５は、請求項４の光コネクタ装着工具におけるハウジング受けが、ハウジングの下面を受ける平坦な受け板であることを特徴とする。
【００１５】
請求項６は、請求項４の光コネクタ装着工具におけるハウジング受けが、ハウジングの少なくとも後端部を収容するコ字形のハウジング収容溝であり、ゴムブーツ収容溝とハウジング収容溝との境界に前記押込み用段差が形成されていることを特徴とする。
【００１６】
請求項７は、請求項１〜６の光コネクタ装着工具において、装着対象の光コネクタが、ＪＩＳＣ５９７３に規定される光コネクタに含まれるＳＣ２光コネクタであることを特徴とする。
【発明の効果】
【００１７】
本発明の光コネクタ装着工具によれば、光コネクタを単に受ける工具本体に、ハウジングの後端とゴムブーツの前端との境界の段差部に当たってハウジングを前方に押込み可能な押込み用段差部を形成しただけの構造であり、単に装着専用としたから簡単になったということ以上に、極めて簡単な構造である。そして、可動部は一切なく、微小構造部分もない極めて簡単な構造であるから、コネクタ装着時に、工具のわずかな傾きや操作の微妙な違いによって例えば半差し状態となるなどの、アダプタへの装着不良が発生する恐れは極めて少ない。また、極めて安価に製作できる。
【発明を実施するための最良の形態】
【００１８】
以下、本発明を実施した光コネクタ装着工具について、図面を参照して説明する。
【実施例１】
【００１９】
図１は本発明の一実施例の光コネクタ装着工具２１の斜視図、図２（イ）は上記光コネクタ装着工具２１の正面図、（ロ）は平面図、（ハ）は拡大左側面図、（ニ）は拡大右側面図である。実施例の光コネクタ装着工具２１は、対象として前述した図８の光コネクタ１を想定している。この光コネクタ１は、ＪＩＳＣ５９７３に規定される光コネクタに含まれるいわゆるＳＣ２光コネクタであり、光ファイバ２（裸ファイバを２ａ、被覆部（光コード）を２ｂで示す）を固定したフェルール３を収容したハウジング４の後部に光ファイバ屈曲防止のためのゴムブーツ５が取り付けられ、前記ハウジングの側面に、アダプタ又はレセプタクル（以下ではアダプタの場合として述べる）内に設けた弾性爪２６の爪２６ａ（図６）と係合する係合突起４ａを備えている。なお、本発明の光コネクタ装着工具２１の操作には関係しないが、コネクタ着脱工具又はコネクタ抜き取り工具の爪が係合する係合凹部４ｂを備えている。
【００２０】
実施例の光コネクタ装着工具２１は、光コネクタ１を受けるＵ字形のゴムブーツ収容溝２２ａを持つ工具本体２２の先端に、ハウジング４の後端近傍を受ける短く平坦な板状のハウジング受け２３を一体に設けるとともに、ゴムブーツ収容溝２２ａとハウジング受け２３との境界部分に、光コネクタ１のハウジング４の後端とゴムブーツ５の前端との境界の段差部ａに当たってハウジング４を前方に押込み可能な押込み用段差部２４を形成している。すなわち、この実施例の押込み用段差部２４は、Ｕ字形のゴムブーツ収容溝２２ａの底の円弧面と板状のハウジング受け２３の平面とが突き合わされることで形成されている。
【００２１】
上記の光コネクタ装着工具２１を用いて光コネクタ１を例えばアダプタに装着する要領を図３〜図５を参照して説明すると、まず、光コネクタ１のゴムブーツ５部分を光コネクタ装着工具２１のゴムブーツ収容溝２２ａに上から嵌め込む。この場合、光コネクタ装着工具２１の押込み用段差部２４が、ハウジング４の後端とゴムブーツ５の先端との境界の段差部ａの僅かに後方に位置するように又は段差部ａに突き当たるように嵌め込む。この時、ハウジング受け２３は光コネクタ１のハウジング４の後端近傍を受ける。
【００２２】
上記のように光コネクタ装着工具２１の先端側に保持された光コネクタ１を、光コネクタ装着工具２１を押し出して、アダプタ２５内に押込むと、光コネクタ装着工具２１の押込み用段差部２４がハウジング４とゴムブーツ５との境界の段差部ａを押すストッパとして作用し、光コネクタ１がアダプタ２５内に押込まれ、光コネクタ１のハウジング４の係合突起４ａが図６に示すようにアダプタ２５の内部の弾性爪片２６の爪２６ａに係合し、こうしてアダプタ２５内に装着される。
装着後は、光コネクタ装着工具２１には、光コネクタ１から引き離す方向の移動を拘束する部分はないので、単に光コネクタ装着工具２１を引き戻せばよい。
【００２３】
上記の光コネクタ装着工具２１は、Ｕ字形断面の工具本体２２の先端に平板状のハウジング受け２３を設けただけの極めて簡単な構造であり、単に装着専用としたから簡単になったということ以上に、極めて簡単な構造である。そして、可動部は一切なく、微小構造部分もない極めて簡単な構造であるから、コネクタ装着時に、工具のわずかな傾きや操作の微妙な違いによって例えば半差し状態となるなどの、アダプタへの装着不良が発生する恐れは極めて少ない。また、極めて安価に製作できる。
本発明の光コネクタ装着工具では、光コネクタ１をアダプタから抜き取る場合には別途コネクタ抜き取り工具が必要となる点ではデメリットであるが、光配線箱の工事において光コネクタ１の装着と抜き取りとを同時に頻繁に行うことはあまりないので、装着専用工具としても、作業性低下は特に問題とならず、工具の構造が簡単でアダプタへの装着不良が発生する恐れは極めて少ないことのメリットは大きい。
【実施例２】
【００２４】
上記の光コネクタ装着工具２１は、ハウジング受け２３が単に短い平坦な板状をなす構成であるが、ハウジング受けが、図７に示した光コネクタ装着工具２１’のように、ハウジング４の後端部近傍を受けるコ字形のハウジング収容溝２３ａ’を持つハウジング受け２３’であってもよい。この場合、ゴムブーツ収容溝２２ａとハウジング収容溝２３ａ’との境界に押込み用段差２４’が形成される。
【００２５】
上記の実施例における工具本体２２はＵ字形のゴムブーツ収容溝２２ａを持つ構成であるが、必ずしもＵ字形の溝に限らず、コ字形の溝でもよいし、さらには、溝でない場合も考えられる。例えば、単なる平板状のトレイの幅方向両側にハウジング４又はゴムブーツ５部分の側面を規制するコネクタ側面規制部を設けた構成であってもよい。その場合は、それに応じた押込み用段差部を形成するように工夫する。要するに、光コネクタ１のゴムブーツ５部分又はハウジング４の一方又は両方を保持することができ、かつ、ハウジング４とゴムブーツ５との間の段差部に対してストッパとなる押込み用段差部を持つ構成であればよい。
また、本発明の光コネクタ装着工具は、プラスチック成形品が好適であるが、特にこれに限定されない。また、対象とする光コネクタの形状に対応した種々の変形例を採用することが可能である。
また、本発明で対象とする光コネクタは、ＪＩＳＣ５９７３に規定される光コネクタに含まれるいわゆるＳＣ２光コネクタを想定しているが、必ずしもＳＣ２光コネクタと呼ばれる光コネクタに限定されるものではない。
【図面の簡単な説明】
【００２６】
【図１】本発明の一実施例の光コネクタ装着工具の斜視図である。
【図２】（イ）は上記光コネクタ装着工具の正面図、（ロ）は平面図、（ハ）は拡大左側面図、（ニ）は拡大右側面図である。
【図３】光コネクタを上記光コネクタ装着工具で保持する要領を説明するもので、光コネクタを保持する前の段階の図である。
【図４】上記光コネクタ装着工具で保持した光コネクタをアダプタに装着する前の状態を示すもので、（イ）は正面図、（ロ）は平面図である。
【図５】図４に続いて光コネクタをアダプタに装着した状態を示すもので、（イ）は正面図、（ロ）は平面図である。
【図６】図５（ロ）のアダプタ近傍を拡大して、光コネクタとアダプタとの係合状態を示した図である。
【図７】本発明の他の実施例の光コネクタ装着工具の斜視図である。
【図８】本発明の光コネクタ装着工具が対象とする光コネクタの一例を示す斜視図である。
【図９】従来のコネクタ着脱工具の平面図である。
【図１０】図９のＡ−Ａ拡大断面図
【図１１】図９のコネクタ着脱工具で光コネクタの着脱をする際の工具操作要領を説明するもので、（イ）は光コネクタを把持する前の状態、（ロ）は光コネクタを把持した状態を示す。
【符号の説明】
【００２７】
１  光コネクタ
２  光ファイバ
３  光フェルール
４  ハウジング
４ａ  （アダプタ側の弾性爪の爪が係合する）係合突起
４ｂ  （コネクタ抜き取り工具の係合爪が係合する）係合凹部
５  ゴムブーツ
２１、２１’  光コネクタ装着工具
２２  工具本体
２２ａ  ゴムブーツ収容溝
２３、２３’  ハウジング受け
２３ａ’  ハウジング収容溝
２４、２４’  押込み用段差部
２５  アダプタ
２６  弾性爪片
２６ａ  爪
ａ  （ハウジング後端とゴムブーツ前端との境界の）段差部
【図１】
2008076454.tif 000003
【図２】
2008076454.tif 000004
【図３】
2008076454.tif 000005
【図４】
2008076454.tif 000006
【図５】
2008076454.tif 000007
【図６】
2008076454.tif 000008
【図７】
2008076454.tif 000009
【図８】
2008076454.tif 000010
【図９】
2008076454.tif 000011
【図１０】
2008076454.tif 000012
【図１１】
2008076454.tif 000013